(57)【特許請求の範囲】
【請求項１】
床面若しくは天井面に不動状態で一体に固設した回転軸（７）を回転中心として回転するドア（２）の内部に設けられ、ばね（３３）の弾性力を用いて両開きドアを自閉する閉扉手段と、流体圧を利用してドアの閉鎖動作を制動するシリンダ（３）とを備え、前記シリンダ（３）内のピストン（３１）に連結されたピストンロッド（３２）と一端側で連結されたクランク（４）等の増力手段と、この増力手段の他端側に連結されたアーム（４２）を介して連結され、ピン（５１Ａ）〜（５１Ｃ）を取り付けたスライダ（５）と、このスライダ（５）に設けたピン（５１Ａ）〜（５１Ｃ）に外接するとともに、前記回転軸（７）に固着された外カム（８）と、前記シリンダ（３）内から排出されるオイルの流出量を周囲の温度変化に合わせて適宜調整する自動温度補正機構（６）とを備えたドア内蔵型両開きクローザにおいて、
前記増力手段は、クランク室（４０）に固定された支軸（４１）を中心として回転するクランク（４）の長腕部分の先端にピストンロッド（３２）の他端を連結し、短腕部分の先端にアーム（４２）を介してスライダ（５）を連結して成り、
前記スライダ（５）は、縦断面略コ字型に形成され、シリンダ室（３０）の長さ方向に平行に形成されたスライド室（５０）内に滑動可能に配置され、二等辺三角形の各頂点部分に対応する３箇所の位置にピン（５１Ａ）〜（５１Ｃ）が設置され、これらのピン（５１Ａ）〜（５１Ｃ）のうち少なくとも底辺部分の頂点に対応する２か所のピン（５１Ａ）（５１Ｂ）のいずれか一方が外カム（８）に圧接され、
前記外カム（８）は、左右対称形状であり、ドア（２）を一時的にストップさせるためのストップ溝（８Ａ）が形成され、
ドア（２）閉鎖状態で外カム（８）の右端部にピン（５１Ａ）（５１Ｂ）が圧接し、ドア（２）を開いていくと、一方のピン（５１Ｂ）のみが外カム（８）に圧接し、ドア（２）を９０度開いたときピン（５１Ｂ）が外カム（８）のストップ溝（８Ａ）に嵌入し、
ドア（２）の開動作に伴ってスライダ（５）が移動し、スライダ（５）の移動によりアーム（４２）を介してクランク（４１）が回動し、ピストン（３１）が移動することによりばね（３３）が圧縮され、
前記ストップ溝（８Ａ）からピン（５１Ｂ）を抜け出す程度の力をドア（２）に作用させると圧縮されたばね（３３）の弾性エネルギーの開放によりドア（２）の自閉動作を行うことを特徴とするドア内蔵型両開きクローザ。
【発明の詳細な説明】
【０００１】
【発明の属する技術分野】
この発明は、両方向に扉が回転する両開きドアに係り、特に小型化が容易で両開きドアに内蔵することができるドア内蔵型両開きクローザに関するものである。
【０００２】
【従来の技術】
例えばビル、デパート、ホテル、図書館或いは公共施設の玄関及び事務所等には、両開きのドアを設置することが多い。また、通常このような場所に設置するドアには、そのドアを自閉するクローザが取り付けられている。
【０００３】
【発明が解決しようとする課題】
ところで、このドアは例えば一枚のガラスで構成したり、薄手の金属或いは木製のもの等で形成することがあるが、このようなドアにクローザを設置しようとすると、ドア内部に寸法的に収まりきれないので、床内部（或いは天井上枠内部）等に埋設させることとなる。
【０００４】
このような両開きのドアに使用するクローザとして、外カム機構を利用したものが知られており、そのカムに外接するピンにシリンダ内のばねの弾性力を常時付勢して自閉力を発生させるとともに、閉扉時にはシリンダ内に発生する油圧力によってドアに制動力を付与するようになっている。
【０００５】
しかしながら、このようなクローザは、形状が大型になり床内等に埋設させる必要があるため、どうしても現場での工事が大がかりとなる。
【０００６】
そこで、ドア内蔵式のクローザが検討されているが、ある程度大きな自閉力を確保するためにはその分大きなばねを必要とするから、クローザとしてはどうしても大型化（特に広幅化を伴う）が避けられないという事情があり、そのため薄手のドアや重量の嵩むドアへの設置が難しくなっている。
【０００７】
この発明は、上記した事情に鑑み、小型のものであっても、大きな自閉力と制動力とを発生することができるドア内蔵型両開きクローザを提供することを目的とするものである。
【０００８】
【課題を解決するための手段】
即ち、この発明は、床面若しくは天井面に不動状態で一体に固設した回転軸を回転中心として回転するドアの内部に設けられ、ばねの弾性力を用いて両開きドアを自閉する閉扉手段と、流体圧を利用してドアの閉鎖動作を制動するシリンダとを備え、前記シリンダ内のピストンに連結されたピストンロッドと一端側で連結されたクランク等の増力手段と、この増力手段の他端側に連結されたアームを介して連結され、ピンを取り付けたスライダと、このスライダに設けたピンに外接するとともに、前記回転軸に固着された外カムと、前記シリンダ内から排出されるオイルの流出量を周囲の温度変化に合わせて適宜調整する自動温度補正機構とを備えたドア内蔵型両開きクローザにおいて、前記増力手段は、クランク室に固定された支軸を中心として回転するクランクの長腕部分の先端にピストンロッドの他端を連結し、短腕部分の先端にアームを介してスライダを連結して成り、前記スライダは、縦断面略コ字型に形成され、シリンダ室の長さ方向に平行に形成されたスライド室内に滑動可能に配置され、二等辺三角形の各頂点部分に対応する３箇所の位置にピンが設置され、これらのピンのうち少なくとも底辺部分の頂点に対応する２か所のピンのいずれか一方が外カムに圧接され、前記外カムは、左右対称形状であり、ドアを一時的にストップさせるためのストップ溝が形成され、ドア閉鎖状態で外カムの右端部にピンが圧接し、ドアを開いていくと、一方のピンのみが外カムに圧接し、ドアを９０度開いたときピンが外カムのストップ溝に嵌入し、ドアの開動作に伴ってスライダが移動し、スライダの移動によりアームを介してクランクが回動し、ピストンが移動することによりばねが圧縮され、前記ストップ溝からピンを抜け出す程度の力をドアに作用させると圧縮されたばねの弾性エネルギーの開放によりドアの自閉動作を行うものである。
【０００９】
【発明の実施の形態】
以下、この発明の好適な実施例について添付図面を参照しながら説明する。
図１は、この発明に係るドア内蔵型両開きクローザ（以下クローザと略す）１を示すものである。
このクローザ１は、比較的小型のものであって特に幅狭形状のものであり、両開きドア２の下端部内部に設けられている。またこのクローザ１のケーシング本体１Ａ内部には、油圧制動方式のシリンダ３と、クランク４と、スライダ５と、自動温度補正機構６とを備えている。
なお、図１において符号７は床Ｆ内部に下端部を固設したドア２の回転軸、８はこの回転軸７に固着した外カムを示す。
【００１０】
このクローザ１には、ケーシング本体１Ａ内部に、油圧制動方式のシリンダ３と、クランク４と、スライダ５と、自動温度補正機構６とを備えている。
【００１１】
シリンダ３には、シリンダ室３０内部に滑動自在のピストン３１を備えるとともに、このピストン３１に一端を連結したピストンロッド３２を備えている。また、このシリンダ室３０内部には、ピストン３１との間に小型（小径）の圧縮ばね３３を配設させている。シリンダ室３０は、ピストン３１によって左右に分割されて右シリンダ室３０Ｒと左シリンダ室３０Ｌとを形成しており、特に右シリンダ室３０Ｒ側には自動温度補正機構６の高圧室と連通する流出路３４を設けているとともに、左シリンダ室３０Ｌ側には自動温度補正機構６の低圧室と連通する流入路３５を設けている。なお、このシリンダ３内には適宜のオイルを充填させて油圧力を発生させてある。
【００１２】
クランク４は、クランク室４０に固定された支軸４１を中心として回転するようになっているが、この支軸４１が取り付けられる支点部分は、図１において右端と左端とを（２〜３）：１（勿論、この内分比に限らない）に内分する位置に設定されて（右側が長腕部分を構成するとともに、左側とが短腕部分を構成）いる。  そしてこのクランク４には、長腕部分の先端にピストンロッド３２の他端が連結されているとともに、短腕部分の先端にはアーム４２を介してスライダ５が連結されているので、ドア閉鎖の際に制動力を増大することができるとともに、ドア開放動作の際には開扉力が軽減され手で軽く開くことができるようになっている。なお、この実施例では、増力手段としてクランクを使用してあるが、勿論これに限定されるものではなく、各種タイプのものが適用可能である。
【００１３】
スライダ５は、縦断面略コ字型に形成された薄板形状のものであって、シリンド室３０の長さ方向に平行に形成されたスライド室５０内に滑動可能に設置されている。また、このスライダ５には、図２に示すように、二等辺三角形の各頂点部分に対応する３箇所の位置にピン５１Ａ〜５１Ｃが設置されており、これらのピン５１Ａ〜５１Ｃのうち少なくとも底辺部分の頂点に対応する２か所のピン５１Ａ、５１Ｂのいずれか一方が、必ず外カム８のいずれかの部位に圧接するようになっている。なお、外カム８は、両開きドアに適用させるために、左右対称形状のものが使用されており、一部にはドア２を一時的にストップさせるためのストップ溝８Ａが形成されている。また、シリンダ室３０、クランク室４０及びスライド室５０には適宜のオイルが充填・封入されている。
【００１４】
自動温度補正機構６は、既に出願され公開されている公報（平成１年特許願第２２５３２０号）に記載のものと同様のものが使用されており、詳細についてはこれを参照されたい。なお、この自動温度補正機構６による流量（制動力）の調整・制御（閉じスピードの調整）を行う場合には、ドア２下端部に設けた調整室２Ａ内の調整ねじ６１を回動させて調整できる。
【００１５】
次に、この実施例の作用について説明する。
例えばドア２を閉鎖状態から開いていくと、回転軸７及び外カム８が常時不変・不動状態にある一方、ドア２側のみがその位置を回動・変位するから、外カム８とピン５１Ａ〜５１Ｃとの相対位置の変化から、これらピン５１Ａ〜５１Ｃによる圧接位置が変化していく。
つまり、ドア２の閉鎖状態では図３に示す状態、即ち外カム８の右端部にピン５１Ａ、ピン５１Ｂの双方が圧接した状態である。
【００１６】
ところが、ドア２を開いていくと、図４に示すように、外カム８がピン５１Ａ〜５１Ｃに対して斜めに傾斜した恰好となるから、一方のピン５１Ｂのみが外カム８に圧接することとなる。これによって、図４に破線で示す閉扉状態での位置から実線で示す位置まで、距離ｄだけピン及びこれらのピンを取り付けているスライダ５が右方（図４では斜め右上方）に移動することとなる。
【００１７】
このため、図１において、アーム４２（半時計方向に回動する）を介してクランク４１が半時計方向に回動することとなり、ピストンロッド３２及びピストン３１が左方へ移動するから、ばね３３が圧縮されることとなる（このばね３２の圧縮により蓄えられた弾性エネルギーが後に自閉力となる）。なお、この場合には図２に示すように、ピストン３１に設けた逆止弁３１Ａが開き、左シリンダ室３０Ｌ内のオイルが右シリンダ室３０Ｒへスムース（順方向）に流入することができる。
【００１８】
また、特にこの場合には図１においてクランク４での梃子の原理から、２〜３倍のストローク（２〜３）×ｄがピストンロッド３２及びピストン３１に作用するから、ばね３３がピン及びスライダ５の変動量の２〜３倍の長さの圧縮量を確保でき、自閉力もその分大きく確保できる。
【００１９】
なお、さらにドア２を大きく開放させていき、図５に示すように、丁度９０度の角度開いたところでは、一方のピン５１Ｂが外カム８のストップ溝８Ａに嵌入するから、一時的にドア２がストップ状態となる。なお、このストップ溝８Ａがなければドア２がストップしないのは言うまでもない。
【００２０】
次に、この状態からドア２を閉じる場合には、ある程度の力で、つまりストップ溝８Ａからピン５１Ｂが抜け出す程度の力をドア２に作用させて、ストップ溝８Ａからピン５１Ｂを抜け出させたフリー状態とすると、閉鎖状態のときに比べてピン５１Ｂが右方に変位している分、ばね３３も圧縮しているから、蓄積された弾性エネルギーの開放によってドア２の自閉動作を行うことができる。
【００２１】
即ち、ばね３３が元の状態に復元する際にピストン３１が図２において右方へ移動するが、ばね３３によるピストン３１への押出力Ｆは、クランク４によって２〜３倍（２〜３）×Ｆに拡大されるから、この大きなトルクがピン５１Ｂを介して外カム８に作用する。これによって、大きな自閉力で確実にドア２を閉じることができるのである。なお、この場合ピストン３１に設けた逆止弁３１Ａが作用し自動温度補正機構６を通して自閉動作を制動することとなるが、ドア２の閉鎖速度が抑えられてゆっくりと、しかし確実に閉じることができる。
【００２２】
従って、この実施例によれば、寸法が小さく弾性力の小さなばね３３であっても、クランク４によって大きなトルク（自閉力）を発生することができるから、クローザ本体１Ａの小型化によって薄手のドア２にも内蔵させることができる。
【００２３】
【発明の効果】
以上説明してきたようにこの発明によれば、小型・小径のばね等の自閉手段や制動手段を備えたシリンダとドアの回転軸側に固着したカムに圧接するピン等を設けたスライダとの間に、クランク等の増力手段を設けたから、この増力手段によってトルク（自閉力）を大きく増大させることができ、延いてはクローザとして小型のものであっても大型で大重量のドアを確実に閉鎖させることが可能となり、ドアの内部へクローザを収めることができ、外観上もすっきりとして見栄えの点でも都合がよい。
【００２４】
また、この発明によれば、シリンダ内から排出されるオイルの流出量を周囲の温度変化に合わせて適宜調整する自動温度補正機構とを備えており、例えば夏期や冬期の温度変化に伴うオイルの粘度変化をバルブの開閉にて自動調整することができるから、特に屋外との境界に接する場所等に適用する両開きドアとして使用するのに都合がよい。
【図面の簡単な説明】
【図１】この発明に係るドア内蔵型両開きクローザを示す縦断面図。
【図２】図１のＡ−Ａ線断面図。
【図３】この発明にかかるクローザの作用を示す説明図。
【図４】同説明図。
【図５】同説明図。
【符号の説明】
１  クローザ
２  ドア
３  シリンダ
４  クランク（増力手段）
５  スライダ
６  自動温度補正機構
７  回転軸
８  外カム（ハートカム）
【図１】
0003746861.tif 000002
【図２】
0003746861.tif 000003
【図３】
0003746861.tif 000004
【図４】
0003746861.tif 000005
【図５】
0003746861.tif 000006